(57)【要約】      （修正有）【課題】浮力を利用しフロートの上下運動を回転運動に変換し、発電機を回転させて電気を生み出す浮力発電システムにおいて、フロートの上下運動による緩急回転を滑らかな定速回転とするための遠心惰力盤を提供する。【解決手段】水平設置された心棒１をベアリングにより回転可能に支持し、前記心棒１に一方方向ハブギアを介して沈下受動スプロケットと浮上受動スプロケットとを固定する。それぞれの前記沈下受動スプロケットと前記浮上受動スプロケットとにはフロート１５からのチェーン１３を巻回して一方向に回転可能とする。さらに、心棒１には遠心惰力盤本体６を固定し、該遠心惰力盤本体６に大径受動スプロケットを固定し、大径大重量の円盤状の遠心惰力盤本体６と前記大径受動スプロケットと一体にする。そして前記大径受動スプロケットには発電機１８の小径受動スプロケット１９との間にチェーン２０が掛け渡される。【選択図】図４
0003148326.tif 000002
【実用新案登録請求の範囲】
【請求項１】
水平設置された心棒に２基の受動スプロケットが一方方向ハブギアを介して固定され、一方の受動スプロケットを沈下受動スプロケットとし、他方の受動スプロケットを浮上受動スプロケットとしてそれぞれにフロートからのチェーンを巻回して同一方向回転可能とし、さらに前記心棒には大径大重量の円盤状の遠心惰力盤本体を固定し、該遠心惰力盤本体に一体に大径受動スプロケットを固定し、該大径受動スプロケットと前記遠心惰力盤本体を一体に回転させることを特徴とする遠心惰力盤。
【請求項２】
前記遠心惰力盤本体と一体の大径受動スプロケットにはチェーンを介して発電機の小径受動スプロケットが接続されることを特徴とする請求項１記載の遠心惰力盤。
【請求項３】
前記沈下受動スプロケットに掛け渡されたチェーンには一端にフロートが接続され、他端にバランス錘が接続され、チェーンを前記沈下受動スプロケットの上半部に噛み合わせることを特徴とする請求項１記載の遠心惰力盤。
【請求項４】
前記浮上受動スプロケットに掛け渡されたチェーンには一端にフロートが接続され、他端にバランス錘が接続され、チェーンを前記浮上受動スプロケットの下半部に噛み合わせることを特徴とする請求項１記載の遠心惰力盤。
【考案の詳細な説明】
【技術分野】
【０００１】
本考案は、浮力を利用しフロートの上下運動を回転運動に変換し、発電機を回転させて電気を生み出す浮力発電システムに利用される遠心惰力盤に関する。
【背景技術】
【０００２】
従来、液体の浮力を利用しフロートの上下運動を回転運動に変換し、発電機を回転させて電気を生み出す浮力発電システムが一般的に知られている（特許文献１を参照）。
この公知技術では、液体の中で物体が浮力により浮き上がろうとする上昇力と、重力により下方へ落下・移動しようとする力、この相反する力を利用し、この力をより大きくするため、物体が浮き上がろうとする時、物体内に圧縮空気を強制的に供給することにより大きな上昇力を作り出し、また物体が重力により下方へ落下・移動しようとする時、物体の下降運動の抵抗となる浮力を消し去る構造によってスムーズな下降運動を作り出し、この上下運動をクランクシャフトにより回転運動に変換する浮力発電システムである。
【特許文献１】特開２００２−３１７７４６号公報
【考案の開示】
【考案が解決しようとする課題】
【０００３】
本考案は、浮力を利用しフロートの上下運動を回転運動に変換し、発電機を回転させて電気を生み出す浮力発電システムにおいて、フロートの上下運動による緩急回転を滑らかな定速回転とするための遠心惰力盤を提供することを目的とする。
【課題を解決するための手段】
【０００４】
本考案の遠心惰力盤は、水平設置された心棒に２基の受動スプロケットが一方方向ハブギアを介して固定され、一方の受動スプロケットを沈下受動スプロケットとし、他方の受動スプロケットを浮上受動スプロケットとしてそれぞれにフロートからのチェーンを巻回して同一方向回転可能とし、さらに前記心棒には大径大重量の円盤状の遠心惰力盤本体を固定し、該遠心惰力盤本体に一体に大径受動スプロケットを固定し、該大径受動スプロケットと前記遠心惰力盤本体を一体に回転させるものである。
本考案の遠心惰力盤は、前記沈下受動スプロケットに掛け渡されたチェーンには一端にフロートが接続され、他端にバランス錘が接続され、チェーンを前記沈下受動スプロケットの上半部に噛み合わせるものである。
本考案の遠心惰力盤は、前記浮上受動スプロケットに掛け渡されたチェーンには一端にフロートが接続され、他端にバランス錘が接続され、チェーンを前記浮上受動スプロケットの下半部に噛み合わせるものである。
【考案の効果】
【０００５】
本考案の遠心惰力盤は、水平設置された心棒に２基の受動スプロケットが一方方向ハブギアを介して固定され、一方の受動スプロケットを沈下受動スプロケットとし、他方の受動スプロケットを浮上受動スプロケットとしてそれぞれにフロートからのチェーンを巻回して同一方向回転可能とし、さらに前記心棒には大径大重量の円盤状の遠心惰力盤本体を固定し、該遠心惰力盤本体に一体に大径受動スプロケットを固定し、該大径受動スプロケットと前記遠心惰力盤本体を一体に回転させるものであるため、フロートの上下運動による緩急回転を滑らかな定速回転とするできる効果がある。
【考案を実施するための最良の形態】
【０００６】
本考案の遠心惰力盤の一実施例を添付図面に基づいて、以下に説明する。
図１の平面図に示すように、水平設置された心棒１をベアリング２により回転可能に支持し、前記心棒１に一方方向ハブギア３を介して沈下受動スプロケット４と浮上受動スプロケット５とを固定する。それぞれの前記沈下受動スプロケット４と前記浮上受動スプロケット５とにはフロートからのチェーン（図示せず）を巻回して同一方向に回転可能とする。
さらに、前記心棒１には大径大重量の円盤状の遠心惰力盤本体６を固定し、該遠心惰力盤本体６に一体に大径受動スプロケット７を固定する。そして前記大径受動スプロケット７には図示しない発電機の小径受動スプロケットとの間にチェーン（図示せず）が掛け渡される。
【０００７】
図２の側面図に示すように、遠心惰力盤本体６は、前記心棒１に遠心惰力盤本体６を固定し、中央に抜き孔８を形成した大径受動スプロケット７を周囲に複数個設けた止めねじ孔９にボルト１０を螺合することにより一体に固定される。前記遠心惰力盤本体６と前記大径受動スプロケット７との固定はこれに限らず種々の固定方式がある。前記遠心惰力盤本体６は慣性力を働かせるために１トン〜５０トンの重量とし、前記浮上受動スプロケット４と前記沈下受動スプロケット５と連繋して同一方向の滑らかな定速回転となるように構成されている。
前記沈下受動スプロケット４と前記浮上受動スプロケット５が一方方向ハブギア３を介して前記心棒１に固定される。
【０００８】
図３（ａ）の側面図に示すように、前記沈下受動スプロケット４は、フロート（図示せず）に接続された舟止ロープ１１をＵ字型ローラー１２に掛け渡し、前記舟止ロープ１１の先端に接続されたチェーン１３を前記浮上受動スプロケット４の上半部に掛け渡し、前記チェーン１３の終端部には引張力を保つバランス錘１４を接続する。
図３（ｂ）の側面図に示すように、前記浮上受動スプロケット５は、フロート（図示せず）に接続された舟止ロープ１１をＵ字型ローラー１２に掛け渡し、前記舟止ロープ１２の先端に接続されたチェーン１３を前記浮上受動スプロケット５の下半部に掛け渡し、前記チェーン１３の終端部には舟止ロープ１１を接続してＵ字型ローラー１２に掛け渡し、前記舟止ロープ１１の終端部には引張力を保つバランス錘１４を接続する。
【０００９】
次に、本考案の遠心惰力盤の操作動作を添付図面に基づいて、以下に説明する。
図４の側面図および図５の平面図に示すように、港湾の防波堤Ｍの海水中に流水坑Ｎを貫通させて防波堤隣に設けたフロート水槽Ｓに海水が流入又は流出するように形成し、前記フロート水槽Ｓにはフロート１５を浮かべる。そして、前記フロート１５にはフロートバランス注水口２１を設けて海水を注水してバランスを保つと共に、前記フロート水槽Ｓとフロート１５の隙間にはゴム製の衝撃緩和柱２２を少なくとも四隅に設ける。さらに、前記流水坑Ｎを遮断する高潮・流速調整用の電動シャッター２３を前記防波堤Ｍに設ける。なお、２４はフロート１５のバランスを取るためのフロート吊ロープである。
図６の（ａ）正面図に示すように、前記流水坑Ｎの入口には流木等止めの金網Ｔを設けておき、（ｂ）平面図に高潮・流速調整用の電動シャッター２３を示す。
前記フロート水槽Ｓから支柱１６を組立してＵ字型ローラー１７を設け、前記フロート１５のバランス吊ロープ２４に固定した舟止ロープ１１を前記Ｕ字型ローラー１７に掛け渡す。
一方、前記フロート水槽Ｓ近傍には、コンクリートで土台Ｒを形成し、該土台Ｒに架台(図示せず)を設けて水平に心棒１を設置し、該心棒１はベアリング２により回転可能に支持される。前記心棒１に一方方向ハブギア３を介して沈下受動スプロケット４と浮上受動スプロケット５とを固定し、それぞれの前記沈下受動スプロケット４と前記浮上受動スプロケット５とには前記フロート１５からの舟止ロープ１１の先端に接続したチェーン１３を巻回して同一方向に回転可能とする。
さらに、前記心棒１には大径大重量の円盤状の遠心惰力盤本体６を固定し、該遠心惰力盤本体６に一体に大径受動スプロケット７を固定する。そして前記大径受動スプロケット７には発電機１８の小径受動スプロケット１９との間にチェーン２０が掛け渡される。
【００１０】
海面Ｌの上昇下降により前記フロート１５が上下動し、それに伴って前記チェーン１３が往復移動し、前記沈下受動スプロケット４と前記浮上受動スプロケット５とは一方方向ハブギア３の作用により同一方向に回転を行う。この回転力は心棒１に固定された遠心惰力盤本体６に伝達されて前記大径受動スプロケット７と遠心惰力盤本体６とが同一方向に回転する。前記遠心惰力盤本体６は大重量であるため慣性力が働き、前記沈下受動スプロケット４と前記浮上受動スプロケット５の緩急回転力が一定速度に変換される。
この遠心惰力盤本体６の回転により大径受動スプロケット７に掛け渡されたチェーン２０を介して発電機１８の小径受動スプロケット１９を回転し、発電が行われる。
【図面の簡単な説明】
【００１１】
【図１】本考案の遠心惰力盤の平面図である。
【図２】遠心惰力盤本体の側面図である。
【図３】(ａ)沈下受動スプロケットと(ｂ)浮上受動スプロケットの側面図である。
【図４】本考案の遠心惰力盤の使用状態を示す正面図である。
【図５】本考案の遠心惰力盤の使用状態を示す平面図である。
【図６】流水坑の(ａ)正面図、(ｂ)平面図である。
【符号の説明】
【００１２】
１  心棒
２  ベアリング
３  一方方向ハブギア
４  沈下受動スプロケット
５  浮上受動スプロケット
６  遠心惰力盤本体
７  大径受動スプロケット
８  抜き孔
９  止めネジ孔
１０  ボルト
１１  舟止ロープ
１２  Ｕ字型ローラー
１３  チェーン
１４  バランス錘
１５  フロート
１６  支柱
１７  Ｕ字型ローラー
１８  発電機
１９  小径受動スプロケット
２０  チェーン
２１  フロートバランス注水口
２２  衝撃緩和柱
２３  電動シャッター
２４  バランス吊ロープ
【図１】
0003148326.tif 000003
【図２】
0003148326.tif 000004
【図３】
0003148326.tif 000005
【図４】
0003148326.tif 000006
【図５】
0003148326.tif 000007
【図６】
0003148326.tif 000008